(57)【要約】【課題】一般消費者によるエコロジ活動を支援することができ、エコロジ活動の成果を一般消費者に適正に還元することができる、データ処理装置を提供する。【解決手段】データ処理装置１００では、会員登録した一般消費者が所定のエコロジ活動を実行すると、これにより発生するエコロジポイントＥＰを一般消費者ごとに取得して会員データＭＤに記録する。そして、この会員データＭＤに記録されたエコロジポイントＥＰを集計し、所定サービスを一般消費者に提供する。【選択図】図１
2009075729.tif 000002
【特許請求の範囲】
【請求項１】
一般消費者によるエコロジ活動を支援するためのデータ処理装置であって、
会員登録される前記一般消費者ごとに会員データを記憶する会員記憶手段と、
前記エコロジ活動により発生するエコロジポイントを前記一般消費者ごとに取得するポイント取得手段と、
取得された前記エコロジポイントを対応する前記会員データに記録するポイント記録手段と、
前記会員データに記録された前記エコロジポイントを集計するポイント集計手段と、
集計された前記エコロジポイントに対応して所定サービスを前記一般消費者に提供するサービス提供手段と、
を有するデータ処理装置。
【請求項２】
使用ごとの前記エコロジポイントが設定された対象データをエコロジ対象ごとに記憶する対象記憶手段と、
前記一般消費者による前記エコロジ対象の使用を検出する使用検出手段とを、さらに有し、
前記ポイント取得手段は、使用が検出された前記エコロジ対象の前記対象データから前記エコロジポイントを取得する請求項１に記載のデータ処理装置。
【請求項３】
前記対象記憶手段は、使用のタイミングごとに相違する複数の前記エコロジポイントが設定される前記対象データを記憶し、
前記使用検出手段は、前記一般消費者による前記エコロジ対象の使用をタイミングとともに検出し、
前記ポイント取得手段は、使用が検出された前記エコロジ対象の前記対象データから前記タイミングに対応した前記エコロジポイントを取得する請求項２に記載のデータ処理装置。
【請求項４】
前記対象記憶手段は、使用のタイミングごとに前記エコロジポイントに乗算する変数が設定される前記対象データを記憶し、
前記使用検出手段は、前記一般消費者による前記エコロジ対象の使用をタイミングとともに検出し、
前記ポイント取得手段は、使用が検出された前記エコロジ対象の前記対象データから前記エコロジポイントを取得して前記タイミングに対応した変数を乗算する請求項２に記載のデータ処理装置。
【請求項５】
前記ポイント取得手段は、前記一般消費者による使用に対応してエコロジ対象が送信する前記エコロジポイントを受信する請求項１に記載のデータ処理装置。
【請求項６】
購入による前記エコロジポイントが設定された対象データをエコロジ対象ごとに記憶する対象記憶手段と、
前記一般消費者による前記エコロジ対象の購入を検出する購入検出手段とを、さらに有し、
前記ポイント取得手段は、購入が検出された前記エコロジ対象の前記対象データから前記エコロジポイントを取得する請求項１ないし５の何れか一項に記載のデータ処理装置。
【請求項７】
リサイクルによる前記エコロジポイントが設定された対象データをエコロジ対象ごとに記憶する対象記憶手段と、
前記一般消費者による前記エコロジ対象のリサイクルを検出するリサイクル検出手段とを、さらに有し、
前記ポイント取得手段は、リサイクルが検出された前記エコロジ対象の前記対象データから前記エコロジポイントを取得する請求項１ないし６の何れか一項に記載のデータ処理装置。
【請求項８】
メンテナンスによる前記エコロジポイントが設定された対象データをエコロジ対象ごとに記憶する対象記憶手段と、
前記一般消費者による前記エコロジ対象のメンテナンスを検出するメンテナンス検出手段とを、さらに有し、
前記ポイント取得手段は、メンテナンスが検出された前記エコロジ対象の前記対象データから前記エコロジポイントを取得する請求項１ないし７の何れか一項に記載のデータ処理装置。
【請求項９】
前記会員記憶手段は、前記一般消費者ごとの会員ＩＤ（Identity）が設定される前記会員データを記憶し、
前記ポイント取得手段は、前記一般消費者の携帯通信端末に登録された前記会員ＩＤとともに前記エコロジポイントを取得し、
前記ポイント記録手段は、前記会員ＩＤにより前記会員データを検索して前記エコロジポイントを記録する請求項１ないし８の何れか一項に記載のデータ処理装置。
【請求項１０】
前記携帯通信端末に前記エコロジポイントの集計結果を提供する結果提供手段を、さらに有する請求項９に記載のデータ処理装置。
【請求項１１】
一般消費者によるエコロジ活動を支援するためのデータ処理システムであって、
請求項２ないし８の何れか一項に記載のデータ処理装置と、
前記エコロジ対象と、
を有するデータ処理システム。
【請求項１２】
一般消費者によるエコロジ活動を支援するためのデータ処理システムであって、
請求項９または１０に記載のデータ処理装置と、
前記携帯通信端末と、
を有するデータ処理システム。
【請求項１３】
請求項１１に記載のデータ処理システムの前記エコロジ対象であって、
前記一般消費者による使用に対応して前記エコロジポイントを生成し、
生成した前記エコロジポイントを前記データ処理装置に送信するエコロジ対象。
【請求項１４】
前記一般消費者による使用内容に対応して動的に前記エコロジポイントを生成する請求項１３に記載のエコロジ対象。
【請求項１５】
前記一般消費者による使用のタイミングに対応して動的に前記エコロジポイントを生成する請求項１３または１４に記載のエコロジ対象。
【請求項１６】
商用電源に電力線で接続されて使用される家電製品からなり、
前記一般消費者による使用に対応して前記エコロジポイントを生成し、
生成した前記エコロジポイントを電力線通信で前記データ処理装置に送信する請求項１３ないし１５の何れか一項に記載のエコロジ対象。
【請求項１７】
前記一般消費者ごとの会員ＩＤを記憶し、
記憶している前記会員ＩＤを生成した前記エコロジポイントとともに前記データ処理装置に送信する請求項１３ないし１６の何れか一項に記載のエコロジ対象。
【請求項１８】
請求項１２に記載のデータ処理システムの前記携帯通信端末であって、
エコロジ対象がリモートコントローラで操作される家電製品からなり、
前記リモートコントローラとして前記エコロジ対象を操作したときに前記エコロジポイントを生成して前記データ処理装置に送信する携帯通信端末。
【請求項１９】
前記一般消費者ごとの会員ＩＤを記憶し、
前記エコロジポイントを前記会員ＩＤとともに送信する請求項１８に記載の携帯通信端末。
【請求項２０】
一般消費者によるエコロジ活動を支援するためのデータ処理装置のためのコンピュータプログラムであって、
会員登録される前記一般消費者ごとに会員データを記憶する会員記憶処理と、
前記エコロジ活動により発生するエコロジポイントを前記一般消費者ごとに取得するポイント取得処理と、
取得された前記エコロジポイントを対応する前記会員データに記録するポイント記録処理と、
前記会員データに記録された前記エコロジポイントを集計するポイント集計処理と、
集計された前記エコロジポイントに対応して所定サービスを前記一般消費者に提供するサービス提供処理と、
を前記データ処理装置に実行させるためのコンピュータプログラム。
【請求項２１】
一般消費者によるエコロジ活動を支援するためのデータ処理装置のデータ処理方法であって、
会員登録される前記一般消費者ごとに会員データを記憶する会員記憶工程と、
前記エコロジ活動により発生するエコロジポイントを前記一般消費者ごとに取得するポイント取得工程と、
取得された前記エコロジポイントを対応する前記会員データに記録するポイント記録工程と、
前記会員データに記録された前記エコロジポイントを集計するポイント集計工程と、
集計された前記エコロジポイントに対応して所定サービスを前記一般消費者に提供するサービス提供工程と、
を有するデータ処理方法。
【発明の詳細な説明】
【技術分野】
【０００１】
本発明は、一般消費者によるエコロジ活動を支援するためのデータ処理装置およびシステム、エコロジ対象、携帯通信端末、コンピュータプログラム、データ処理方法、に関する。
【背景技術】
【０００２】
現在、いわゆるエコロジ活動が一般に推奨されている。このため、いわゆる家電製品などには、消費電力が削減されたエコロジ製品などがある。さらに、一般消費者によるエコロジ活動を支援するため、各種の提案がある（例えば、特許文献１，２参照）。
【特許文献１】特開２００１−３３１８７４号公報
【特許文献２】特開２００２−２１５７５１号公報
【発明の開示】
【発明が解決しようとする課題】
【０００３】
しかし、一般消費者に個人レベルでのエコロジ活動を提唱しても、実際に有効なエコロジ活動を実現することは困難である。特に、一般消費者がエコロジ活動を実施しても、そのエコロジ活動の成果を一般消費者に適正に還元することができない。
【０００４】
本発明は上述のような課題に鑑みてなされたものであり、一般消費者によるエコロジ活動を支援することができ、エコロジ活動の成果を一般消費者に適正に還元することができる、データ処理装置等を提供するものである。
【課題を解決するための手段】
【０００５】
本発明のデータ処理装置は、一般消費者によるエコロジ活動を支援するためのデータ処理装置であって、会員登録される一般消費者ごとに会員データを記憶する会員記憶手段と、エコロジ活動により発生するエコロジポイントを一般消費者ごとに取得するポイント取得手段と、取得されたエコロジポイントを対応する会員データに記録するポイント記録手段と、会員データに記録されたエコロジポイントを集計するポイント集計手段と、集計されたエコロジポイントに対応して所定サービスを一般消費者に提供するサービス提供手段と、を有する。
【０００６】
本発明の第一のデータ処理システムは、一般消費者によるエコロジ活動を支援するためのデータ処理システムであって、本発明のデータ処理装置と、エコロジ対象と、を有する。
【０００７】
本発明の第二のデータ処理システムは、一般消費者によるエコロジ活動を支援するためのデータ処理システムであって、本発明のデータ処理装置と、携帯通信端末と、を有する。
【０００８】
本発明のエコロジ対象は、本発明のデータ処理システムのエコロジ対象であって、一般消費者による使用に対応してエコロジポイントを生成し、生成したエコロジポイントをデータ処理装置に送信する。
【０００９】
本発明の携帯通信端末は、本発明のデータ処理システムの携帯通信端末であって、エコロジ対象がリモートコントローラで操作される家電製品からなり、リモートコントローラとしてエコロジ対象を操作したときにエコロジポイントを生成してデータ処理装置に送信する。
【００１０】
本発明のコンピュータプログラムは、一般消費者によるエコロジ活動を支援するためのデータ処理装置のためのコンピュータプログラムであって、会員登録される一般消費者ごとに会員データを記憶する会員記憶処理と、エコロジ活動により発生するエコロジポイントを一般消費者ごとに取得するポイント取得処理と、取得されたエコロジポイントを対応する会員データに記録するポイント記録処理と、会員データに記録されたエコロジポイントを集計するポイント集計処理と、集計されたエコロジポイントに対応して所定サービスを一般消費者に提供するサービス提供処理と、をデータ処理装置に実行させる。
【００１１】
本発明のデータ処理方法は、一般消費者によるエコロジ活動を支援するためのデータ処理装置のデータ処理方法であって、会員登録される一般消費者ごとに会員データを記憶する会員記憶工程と、エコロジ活動により発生するエコロジポイントを一般消費者ごとに取得するポイント取得工程と、取得されたエコロジポイントを対応する会員データに記録するポイント記録工程と、会員データに記録されたエコロジポイントを集計するポイント集計工程と、集計されたエコロジポイントに対応して所定サービスを一般消費者に提供するサービス提供工程と、を有する。
【００１２】
なお、本発明の各種の構成要素は、その機能を実現するように形成されていればよく、例えば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。
【００１３】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１４】
また、本発明のデータ処理方法には複数の工程を順番に記載してあるが、その記載の順番は複数の工程を実行する順番を限定するものではない。このため、本発明のデータ処理方法を実施するときには、その複数の工程の順番は内容的に支障しない範囲で変更することができる。
【００１５】
さらに、本発明のデータ処理方法の複数の工程は個々に相違するタイミングで実行されることに限定されない。このため、ある工程の実行中に他の工程が発生すること、ある工程の実行タイミングと他の工程の実行タイミングとの一部ないし全部が重複していること、等でもよい。
【００１６】
また、本発明で云うデータ処理装置は、コンピュータプログラムを読み取って対応するデータ処理を実行できるように、ＣＰＵ（Central Processing Unit）、ＲＯＭ（Read Only Memory）、ＲＡＭ（Random Access Memory）、Ｉ／Ｆ（Interface）ユニット、等の汎用デバイスで構築されたコンピュータ装置、所定のデータ処理を実行するように構築された専用の論理回路、これらの組み合わせ、等として実施することができる。
【００１７】
なお、本発明でコンピュータプログラムに対応した各種動作をデータ処理装置に実行させることは、各種デバイスをデータ処理装置に動作制御させることなども意味している。
【００１８】
例えば、データ処理装置に各種データを記憶させることは、データ処理装置に固定されているＨＤＤ（Hard Disc Drive）等の情報記憶媒体にＣＰＵが各種データを格納すること、データ処理装置に交換自在に装填されているＣＤ−Ｒ（Compact Disc-Recordable）等の情報記憶媒体にＣＰＵがＣＤドライブで各種データを格納すること、等でよい。
【発明の効果】
【００１９】
本発明のデータ処理装置では、会員登録した一般消費者が所定のエコロジ活動を実行すると、これにより発生するエコロジポイントを一般消費者ごとに取得して会員データに記録する。そして、この会員データに記録されたエコロジポイントを集計し、所定サービスを一般消費者に提供する。このため、一般消費者によるエコロジ活動を有効に支援することができる。また、エコロジ活動の成果を一般消費者に適正に還元することができる。
【発明を実施するための最良の形態】
【００２０】
本発明の実施の一形態を図面を参照して以下に説明する。本実施の形態のデータ処理システム１０００は、一般消費者によるエコロジ活動を支援するために利用される。このため、データ処理システム１０００は、図１および図２に示すように、データ処理装置１００と、エコロジ対象２００と、を有する。
【００２１】
本実施の形態のデータ処理装置１００は、会員登録される一般消費者ごとに会員データＭＤを記憶する会員記憶部１１０と、エコロジ活動により発生するエコロジポイントＥＰを一般消費者ごとに取得するポイント取得部１２０と、取得されたエコロジポイントＥＰを対応する会員データＭＤに記録するポイント記録部１３０と、会員データＭＤに記録されたエコロジポイントＥＰを集計するポイント集計部１４０と、集計されたエコロジポイントＥＰに対応して所定サービスを一般消費者に提供するサービス提供部１５０と、を有する。
【００２２】
また、データ処理装置１００は、購入によるエコロジポイントＥＰが設定された対象データＴＤをエコロジ対象２００ごとに記憶する対象記憶部１６０と、一般消費者によるエコロジ対象２００の購入を検出する購入検出部１７１と、も有する。このため、ポイント取得部１２０は、購入が検出されたエコロジ対象２００の対象データＴＤからエコロジポイントＥＰを取得する。
【００２３】
なお、対象記憶部１６０が記憶する対象データＴＤには、リサイクルによるエコロジポイントＥＰも設定される。このため、データ処理装置１００は、一般消費者によるエコロジ対象２００のリサイクルを検出するリサイクル検出部１７２も有する。そこで、ポイント取得部１２０は、リサイクルが検出されたエコロジ対象２００の対象データＴＤからもエコロジポイントＥＰを取得する。
【００２４】
また、対象記憶部１６０が記憶する対象データＴＤには、メンテナンスによるエコロジポイントＥＰも設定される。このため、データ処理装置１００は、一般消費者によるエコロジ対象２００のメンテナンスを検出するメンテナンス検出部１７３も有する。そこで、ポイント取得部１２０は、メンテナンスが検出されたエコロジ対象２００の対象データＴＤからもエコロジポイントＥＰを取得する。
【００２５】
さらに、対象記憶部１６０が記憶する対象データＴＤには、使用ごとのエコロジポイントＥＰとして、使用のタイミングごとに相違する複数のエコロジポイントＥＰも設定される。
【００２６】
このため、データ処理装置１００は、一般消費者によるエコロジ対象２００の使用をタイミングとともに検出する使用検出部１７４も有する。そこで、ポイント取得部１２０は、使用が検出されたエコロジ対象２００の対象データＴＤからタイミングに対応したエコロジポイントＥＰを取得する。
【００２７】
なお、会員記憶部１１０は、一般消費者ごとの会員ＩＤが設定される会員データＭＤを記憶する。ポイント取得部１２０は、一般消費者の携帯通信端末２１０に登録された会員ＩＤとともにエコロジポイントＥＰを取得する。
【００２８】
ポイント記録部１３０は、会員ＩＤにより会員データＭＤを検索してエコロジポイントＥＰを記録する。さらに、本実施の形態のデータ処理装置１００は、携帯通信端末２１０にエコロジポイントＥＰの集計結果を提供する結果提供部１８０も有する。
【００２９】
より具体的には、本実施の形態のデータ処理装置１００は、コンピュータプログラムを読み取って対応するデータ処理を実行できるように、ＣＰＵ、ＲＯＭ、ＲＡＭ、Ｉ／Ｆユニット、等の汎用デバイスで構築されたコンピュータ装置からなる(図示せず)。
【００３０】
このデータ処理装置１００は、インターネットや有線および無線の電話回線などの通信ネットワーク２２０に接続されており、この通信ネットワーク２２０により、一般消費者の携帯通信端末２１０、エコロジ対象２００を販売する販売店舗のＰＯＳ（Point Of Sales）端末２３０、エコロジ対象２００をメンテナンスするサービスエンジニアのハンディターミナル２４０、エコロジ対象２００をリサイクルするリサイクル業者のデータ通信端末２５０、等とデータ通信する。
【００３１】
このデータ処理装置１００は、実装されているコンピュータプログラムに対応して各種の処理動作を実行することにより、前述の各部１１０〜１７０が論理的に実現されている。
【００３２】
例えば、会員記憶部１１０、対象記憶部１６０、等は、上述のコンピュータプログラムに対応してＣＰＵが認識するＨＤＤの記憶エリアなどに相当する。ポイント取得部１２０は、コンピュータプログラムに対応してＣＰＵがＨＤＤの記憶データを読み出す機能などに相当する。
【００３３】
ポイント記録部１３０は、コンピュータプログラムに対応してＣＰＵがＨＤＤにデータ記録を実行させる機能などに相当する。ポイント集計部１４０、サービス提供部１５０は、コンピュータプログラムに対応してＣＰＵが所定のデータ処理を実行する機能などに相当する。
【００３４】
購入検出部１７１、リサイクル検出部１７２、メンテナンス検出部１７３、使用検出部１７４、等は、コンピュータプログラムに対応してＣＰＵが通信Ｉ／Ｆの受信データを認識する機能などに相当する。結果提供部１８０は、コンピュータプログラムに対応してＣＰＵが通信Ｉ／Ｆにデータ送信を実行させる機能などに相当する。
【００３５】
上述のような各部をデータ処理装置１００に論理的に実現するコンピュータプログラムは、例えば、会員登録される一般消費者ごとに会員データＭＤを記憶する会員記憶処理と、エコロジ活動により発生するエコロジポイントＥＰを一般消費者ごとに取得するポイント取得処理と、取得されたエコロジポイントＥＰを対応する会員データＭＤに記録するポイント記録処理と、会員データＭＤに記録されたエコロジポイントＥＰを集計するポイント集計処理と、集計されたエコロジポイントＥＰに対応して所定サービスを一般消費者に提供するサービス提供処理と、をデータ処理装置１００に実行させるように記述されている。
【００３６】
上述のような構成において、本実施の形態のデータ処理システム１０００による一般消費者によるエコロジ活動を支援する方法を以下に説明する。まず、データ処理装置１００により、エコロジ活動の会員登録を一般消費者にウェブサイトなどで告知する。
【００３７】
そこで、エコロジ活動を希望する一般消費者は、例えば、携帯通信端末２１０によりデータ処理装置１００にアクセスして会員登録する。その場合、データ処理装置１００では一般消費者ごとに会員ＩＤが発行されて会員データＭＤが登録される。
【００３８】
さらに、データ処理装置１００は、その会員ＩＤを携帯通信端末２１０に返信するので、この携帯通信端末２１０は、受信した会員ＩＤを記憶する。このような状態で、例えば、一般消費者は、販売店舗でエコロジ対象２００を購入する。
【００３９】
このエコロジ対象２００は、例えば、エコロジ活動に貢献できると認定された各種の製品であり、一般消費者に購入されて利用され、必要によりメンテナンスされ、最終的に廃棄またはリサイクルされる。
【００４０】
このようなエコロジ対象２００は、例えば、省電力型の家電製品、家庭用の二次電池、低燃費型の自動車、電動スクータ、電動サポート自転車、等からなる。本実施の形態では説明を簡単とするため、以下ではエコロジ対象２００として、いわゆる省電力エアコンを例示する。
【００４１】
このエコロジ対象２００は、例えば、対象ＩＤとして製品ごとのＪＡＮコードなどが設定されている。そして、その対象ＩＤごとの対象データＴＤがデータ処理装置１００に登録される。
【００４２】
このような対象データＴＤには、例えば、購入によるエコロジポイント＝１００００、メンテナンスによるエコロジポイント＝１０００、リサイクルによるエコロジポイント＝２０００、などと設定されている。
【００４３】
さらに、使用によるエコロジポイントは、例えば、７月〜８月＝１／hour、１０月〜１１月＝０．１／hour、１２月〜３月＝１／hour、４月〜６月＝０．１／day、などと設定されている。
【００４４】
そこで、前述のように会員登録している一般消費者が上述のエコロジ対象２００を販売店舗で購入するとき、例えば、販売商品がエコロジ対象２００であることを検出したＰＯＳ端末２３０により「エコロジ会員の方は携帯電話で会員ＩＤを入力してください」などのガイダンスメッセージが一般消費者に通知される。
【００４５】
そこで、このガイダンスメッセージを確認した一般消費者は、そのＰＯＳ端末２３０に自身の携帯通信端末２１０でアクセスする。すると、この携帯通信端末２１０からＰＯＳ端末２３０に会員ＩＤが取得される。
【００４６】
このＰＯＳ端末２３０は、取得した会員ＩＤを販売されるエコロジ対象２００の対象ＩＤおよび購入の属性データとともにデータ処理装置１００に送信する。図３に示すように、この会員ＩＤと対象ＩＤとを受信したデータ処理装置１００は(ステップＳ１−Ｙ)、属性データにより購入であることを判定する(ステップＳ２−Ｙ)。
【００４７】
すると、その対象ＩＤにより対象記憶部１６０から対象データＴＤを検索する(ステップＳ６)。これで対象データＴＤが検索されると(ステップＳ７−Ｙ)、その対象データＴＤから対応するエコロジポイントＥＰを取得する(ステップＳ８)。
【００４８】
つぎに、データ処理装置１００は、受信した会員ＩＤにより会員データＭＤを検索する(ステップＳ９)。これで会員データＭＤが検索されると(ステップＳ１０−Ｙ)、その会員データＭＤにエコロジポイントＥＰが記録される(ステップＳ１１)。
【００４９】
さらに、上述のようにエコロジ対象２００を一般消費者が購入したことを検出したデータ処理装置１００は、例えば、そのエコロジ対象２００に対応したアプリケーションプログラムを携帯通信端末２１０に送信する。
【００５０】
そこで、このアプリケーションプログラムを一般消費者が携帯通信端末２１０にインストールすると、この携帯通信端末２１０が赤外線通信によりエコロジ対象２００を遠隔操作するリモートコントローラとして機能するようになる。このような状態で、上述のように購入されたエコロジ対象２００である省電力エアコンが、一般消費者の自宅に設置されて使用される。
【００５１】
そこで、一般消費者が携帯通信端末２１０によりエコロジ対象２００を遠隔操作すると、そのエコロジ対象２００から対象ＩＤが携帯通信端末２１０に取得され、この携帯通信端末２１０はエコロジ対象２００の使用を会員ＩＤおよび対象ＩＤとともにデータ処理装置１００に送信する。
【００５２】
例えば、携帯通信端末２１０は、上述のアプリケーションプログラムによりエコロジ対象２００をオンにしてからオフにするまでの時間を累積し、エコロジ対象２００がオフにされたときに使用時間を会員ＩＤおよび対象ＩＤとともにデータ処理装置１００に送信する。
【００５３】
このデータ処理装置１００は、受信データが購入でもメンテナンスでもリサイクルでもないことにより使用であることを判定し(ステップＳ２〜Ｓ４)、現在日時によりタイミングを判定する(ステップＳ５)。
【００５４】
前述のように省電力エアコンからなるエコロジ対象２００には、時期による要否の度合により複数種類のエコロジポイントＥＰが登録されているので、そのエコロジポイントＥＰが現在日時に対応して取得され、使用時間に対応して累積される(ステップＳ８)。
【００５５】
例えば、省電力エアコンからなるエコロジ対象２００を７月に８０時間まで使用した場合には、エコロジポイントＥＰは「８０×１＝８０」となるが、１０月に４０時間まで使用した場合には、エコロジポイントＥＰは「４０×０．１＝４」となる。
【００５６】
以下は前述の購入の場合と同様に、データ処理装置１００は、受信した会員ＩＤにより会員データＭＤを検索し(ステップＳ９，Ｓ１０−Ｙ)、その会員データＭＤに上述のエコロジポイントＥＰを記録する(ステップＳ１１)。
【００５７】
上述のように一般消費者がエコロジ対象２００を適切に使用することでエコロジポイントＥＰが累積される。ただし、エコロジ対象２００が故障した場合、一般消費者は修理か廃棄かを判断することになる。
【００５８】
そして、一般消費者が製造メーカのサービスエンジニアなどに修理を依頼すると、そのサービスエンジニアは、ハンディターミナル２４０でエコロジ対象２００から対象ＩＤを取得するとともに一般消費者の携帯通信端末２１０から会員ＩＤを取得する。
【００５９】
その会員ＩＤと対象ＩＤとがメンテナンスの属性データとともにハンディターミナル２４０からデータ処理装置１００に送信される。そこで、このデータ処理装置１００は(ステップＳ１−Ｙ)、属性データによりメンテナンスであることを判定する(ステップＳ３−Ｙ)。
【００６０】
以下は購入の場合と同様に、その対象ＩＤにより対象記憶部１６０から対象データＴＤを検索し(ステップＳ６，Ｓ７)、その対象データＴＤから対応するエコロジポイントＥＰを取得する(ステップＳ８)。つぎに、受信した会員ＩＤにより会員データＭＤを検索し(ステップＳ９，Ｓ１０)、その会員データＭＤにエコロジポイントＥＰを記録する(ステップＳ１１)。
【００６１】
また、一般消費者が故障したエコロジ対象２００を廃棄する場合は、例えば、携帯通信端末２１０でリサイクル業者のデータ通信端末２５０にリサイクルを依頼する。すると、このデータ通信端末２５０は携帯通信端末２１０から会員ＩＤを取得する。
【００６２】
このような状態でリサイクル業者がエコロジ対象２００を回収すると、その対象ＩＤがデータ通信端末２５０に入力される。そこで、このデータ通信端末２５０はリサイクルの属性データとともに会員ＩＤと対象ＩＤとをデータ処理装置１００に送信する。以下は購入等の場合と同様に、データ処理装置１００は、リサイクルのエコロジポイントＥＰを会員データＭＤに記録する(ステップＳ４，Ｓ６〜Ｓ１１)。
【００６３】
さらに、データ処理装置１００は、上述のように一般消費者の会員データＭＤに記録されたエコロジポイントＥＰを、図４に示すように、例えば、毎月などの所定の集計タイミングごとに集計する(ステップＴ１〜Ｔ３)。
【００６４】
その集計結果を会員ＩＤに対応して携帯通信端末２１０に送信するので(ステップＴ４)、一般消費者は携帯通信端末２１０により自身のエコロジ活動の成果を目視により確認する。
【００６５】
さらに、データ処理装置１００は、上述のように集計したエコロジポイントＥＰにより一般消費者に所定サービスを実行する(ステップＴ５)。このエコロジポイントＥＰによるサービスは、例えば、携帯通信端末２１０の通信費用の割引、携帯通信端末２１０でアクセスするネット通販で利用できる金銭ポイント、等として提供される。
【００６６】
本実施の形態のデータ処理装置１００では、上述のように会員登録した一般消費者が所定のエコロジ活動を実行すると、これにより発生するエコロジポイントＥＰを一般消費者ごとに取得して会員データＭＤに記録する。
【００６７】
そして、この会員データＭＤに記録されたエコロジポイントＥＰを集計し、所定サービスを一般消費者に提供する。このため、一般消費者によるエコロジ活動を支援することができる。また、エコロジ活動の成果を一般消費者に適正に還元することができる。
【００６８】
しかも、一般消費者がエコロジ対象２００を購入したとき、使用したとき、メンテナンスしたとき、リサイクルしたとき、を個々に検出して各々ごとにエコロジポイントＥＰを記録する。このため、一般消費者が実行する各種のエコロジ活動を個々に正当に評価することができる。
【００６９】
特に、一般消費者によるエコロジ対象２００の使用は、そのタイミングに対応してエコロジポイントＥＰを記録する。このため、エアコンのように使用タイミングにより変化するエコロジ活動の度合を、適正に評価することができる。
【００７０】
さらに、会員登録した一般消費者の携帯通信端末２１０に会員ＩＤが登録され、この携帯通信端末２１０に登録された会員ＩＤが、エコロジ対象２００を購入したとき、使用したとき、メンテナンスしたとき、リサイクルしたとき、にデータ処理装置１００に送信される。このため、一般消費者に煩雑な操作などを強要することなく、会員ＩＤごとにエコロジポイントＥＰを発行することができる。
【００７１】
特に、一般消費者が常時携帯する携帯通信端末２１０に会員ＩＤが登録されているので、エコロジ対象２００を購入したとき、使用したとき、メンテナンスしたとき、リサイクルしたとき、に簡単かつ確実にデータ処理装置１００に会員ＩＤを送信することができる。
【００７２】
さらに、一般消費者ごとに累積されたエコロジポイントＥＰは集計されて携帯通信端末２１０に送信される。このため、一般消費者は自身のエコロジ活動の成果を携帯通信端末２１０で確認することができるので、有効にエコロジ活動を支援することができる。
【００７３】
しかも、データ処理装置１００は、エコロジ対象２００の購入から使用とメンテナンスとを経てリサイクルされるまでを管理してエコロジポイントＥＰを発行する。このため、エコロジ対象２００のライフサイクルにおいてエコロジ活動を支援することができる。
【００７４】
なお、本発明は本実施の形態に限定されるものではなく、その要旨を逸脱しない範囲で各種の変形を許容する。例えば、上記形態では説明を簡単とするため、エコロジ対象２００として有形で有償の製品を例示した。
【００７５】
しかし、エコロジ対象は、無償の製品、無償のサービス、無形のサービス、などでもよく、例えば、鉄道の利用、図書館の利用、等でもよい。エコロジ対象が鉄道の場合、例えば、タイミングが平日ならばエコロジポイントＥＰを発生させず、タイミングが休日ならばエコロジポイントＥＰを発生させるようなこともできる。さらに、上記形態ではエコロジ対象２００の一般消費者が個人からなることを例示した。しかし、エコロジ対象の一般消費者が家庭や会社などのグループでもよい。
【００７６】
また、上記形態では使用のタイミングごとにエコロジポイントＥＰを変化させるため、対象データＴＤに使用タイミングごとに複数種類のエコロジポイントＥＰを登録しておくことを例示した。
【００７７】
しかし、使用のタイミングごとにエコロジポイントＥＰに乗算する変数を対象データＴＤに設定しておき、一般消費者によるエコロジ対象２００の使用をタイミングとともに検出し、使用が検出されたエコロジ対象２００の対象データＴＤからエコロジポイントＥＰを取得してタイミングに対応した変数を乗算してもよい。
【００７８】
さらに、上記形態では省電力エアコンからなるエコロジ対象２００のエコロジポイントＥＰが、時期に対応して変化することを例示した。しかし、このエコロジポイントＥＰが設定温度に対応して変化してもよい。
【００７９】
そこで、前述のようにタイミングである時期ごとに複数段階のエコロジポイントＥＰを設定しておき、そのエコロジポイントＥＰに設定温度に対応した変数を乗算してもよい。
【００８０】
また、上記形態では携帯通信端末２１０をアプリケーションプログラムによりエコロジ対象２００のリモートコントローラとして利用することにより、エコロジ対象２００の使用が携帯通信端末２１０によりデータ処理装置１００に通知されることを例示した。
【００８１】
しかし、エコロジ対象２００の使用をデータ処理装置１００に通知する手法としては各種が可能である。例えば、エコロジ対象２００が低燃費型の自動車からなり、給油時や有料道路の利用時に携帯通信端末２１０や会員カードなどで個人認証して支払処理することにより、そのエコロジ対象２００の使用がデータ処理装置１００に通知されてもよい。
【００８２】
さらに、上記形態ではエコロジ対象２００が一個で完結していて対象データＴＤと一対一に対応していることを例示した。しかし、複数のエコロジ対象２００の対象データＴＤが関連してもよい。
【００８３】
例えば、エコロジ対象２００として低燃費型の自動車を所有する一般消費者が、低燃費型のタイヤを購入した場合に、このタイヤの使用のエコロジポイントＥＰが自動車の使用のエコロジポイントＥＰに加算されてもよい。
【００８４】
また、上記形態ではデータ処理装置１００にエコロジ対象２００ごとの対象データＴＤにエコロジポイントＥＰが登録されており、そのエコロジポイントＥＰが対象ＩＤにより読み出されることを例示した。
【００８５】
しかし、エコロジ対象２００が自身の稼働に対応してエコロジポイントＥＰを生成してもよい。このようなエコロジ対象は、例えば、一般消費者の会員ＩＤを記憶する家電製品からなる。この場合、このエコロジ対象は、自身の稼働に対応してエコロジポイントＥＰを生成し、登録されている会員ＩＤとともにデータ処理装置１００に送信する。
【００８６】
さらに、上述のようなエコロジ対象２００が、商用電源に電力線で接続されて使用される家電製品からなり、電力線通信でエコロジポイントＥＰを送信してもよい。この電力線通信は一般消費者のホームサーバまで実行され、このホームサーバがインターネットでデータ処理装置１００と通信してもよい(図示せず)。
【００８７】
さらに、本実施の形態ではデータ処理装置１００の各部がコンピュータプログラムにより各種機能として論理的に実現されることを例示した。しかし、このような各部の各々を固有のハードウェアとして形成することもでき、ソフトウェアとハードウェアとの組み合わせとして実現することもできる。
【００８８】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【図面の簡単な説明】
【００８９】
【図１】本発明の実施の形態のデータ処理システムの論理構造を示す模式的なブロック図である。
【図２】データ処理システムの物理構造を示す模式的なブロック図である。
【図３】データ処理装置のデータ処理方法の一部を示すフローチャートである。
【図４】データ処理装置のデータ処理方法の一部を示すフローチャートである。
【符号の説明】
【００９０】
１００    データ処理装置
１１０    会員記憶部
１２０    ポイント取得部
１３０    ポイント記録部
１４０    ポイント集計部
１５０    サービス提供部
１６０    対象記憶部
１７１    購入検出部
１７２    リサイクル検出部
１７３    メンテナンス検出部
１７４    使用検出部
１８０    結果提供部
２００    エコロジ対象
２１０    携帯通信端末
２２０    通信ネットワーク
２３０    ＰＯＳ端末
２４０    ハンディターミナル
２５０    データ通信端末
１０００    データ処理システム
ＥＰ    エコロジポイント
ＭＤ    会員データ
ＴＤ    対象データ
【図１】
2009075729.tif 000003
【図２】
2009075729.tif 000004
【図３】
2009075729.tif 000005
【図４】
2009075729.tif 000006